(57)【要約】【課題】妨害電波によって通信不可能な状態になっている状態をユーザに通知する携帯電話機を提供する。【解決手段】受信電波Ｗが妨害電波Ｊによる妨害を受けたとき、この旨が表示部２８に「圏外２」として表示され、ユーザに通知される。このとき、ユーザが妨害電波Ｊの届かない場所に移動することにより、通信可能な状態となる。また、表示部２８に「圏外２」が表示されることにより、ユーザは、携帯電話機の使用が禁止されている場所にいることを認識できるので、不用意なトラブルを避けることができ、使い勝手が向上する。【選択図】      図６
2005020110.tif 000002
【特許請求の範囲】
【請求項１】
無線基地局のサービスエリアから外れた場所に位置するとき、又は受信電波が妨害電波による妨害を受けているとき、通信不可能な状態である旨を表示部に表示する携帯電話機であって、
前記サービスエリアから外れた場所に位置する状態、及び前記受信電波が前記妨害電波による妨害を受けている状態を判別し、この判別結果をユーザに通知する判別手段が設けられていることを特徴とする携帯電話機。
【請求項２】
前記妨害電波は、
当該の携帯電話機が使用する全ての無線チャネルの受信電波に対して所定の領域内で電波障害を与える妨害電波発生装置から発生し、
前記判別手段は、
使用されている無線チャネルの隣接チャネルにおける受信レベルを検出し、この検出値が所定の規定値以上のとき、前記受信電波が前記妨害電波による妨害を受けている状態として判別する構成とされていることを特徴とする請求項１記載の携帯電話機。
【請求項３】
前記規定値は、
使用されている前記無線チャネルの受信電波の前記隣接チャネルにおける漏洩電力のレベル以上に設定されていることを特徴とする請求項２記載の携帯電話機。
【請求項４】
前記判別手段は、
前記判別結果を前記表示部に表示する構成とされていることを特徴とする請求項１、２又は３記載の携帯電話機。
【請求項５】
音声発生部が設けられ、
前記判別手段は、前記音声発生部により前記判別結果に対応した通知音を発生させる構成とされていることを特徴とする請求項１、２又は３記載の携帯電話機。
【請求項６】
無線基地局のサービスエリアから外れた場所に位置するとき、又は受信電波が妨害電波による妨害を受けているとき、通信不可能な状態である旨を表示部に表示する携帯電話機に用いられ、該通信不可能な状態である旨をユーザに通知する通信状態通知方法であって、
前記サービスエリアから外れた場所に位置する状態、及び前記受信電波が前記妨害電波による妨害を受けている状態を判別する状態判別処理と、
該状態判別処理における判別結果をユーザに通知する判別結果通知処理を行うことを特徴とする通信状態通知方法。
【請求項７】
前記妨害電波は、
当該の携帯電話機が使用する全ての無線チャネルの受信電波に対して所定の領域内で電波障害を与える妨害電波発生装置から発生し、
前記状態判別処理では、
使用されている無線チャネルの隣接チャネルにおける受信レベルを検出し、この検出値が所定の規定値以上のとき、前記受信電波が前記妨害電波による妨害を受けた状態として判別することを特徴とする請求項６記載の通信状態通知方法。
【請求項８】
前記規定値は、
使用されている前記無線チャネルの受信電波の前記隣接チャネルにおける漏洩電力のレベル以上に設定されていることを特徴とする請求項７記載の通信状態通知方法。
【請求項９】
前記判別結果通知処理では、
前記判別結果を前記表示部に表示することを特徴とする請求項６、７又は８記載の通信状態通知方法。
【請求項１０】
前記携帯電話機に音声発生部が設けられ、
前記判別結果通知処理では、
前記音声発生部により前記判別結果に対応した通知音を発生させることを特徴とする請求項６、７又は８記載の通信状態通知方法。
【請求項１１】
コンピュータに請求項１乃至５のうちの一に記載の携帯電話機を制御させるための通知制御プログラム。
【発明の詳細な説明】
【０００１】
【発明の属する技術分野】
この発明は、携帯電話機、該携帯電話機に用いられる通信状態通知方法及び通知制御プログラムに係り、特に、携帯電話機が使用する全ての無線チャネルに妨害を与える妨害電波発生装置が設けられている場所で用いて好適な携帯電話機、該携帯電話機に用いられる通信状態通知方法及び通知制御プログラムに関する。
【０００２】
【従来の技術】
携帯電話機は、無線基地局、在圏移動通信交換局、及び関門移動通信交換局を介して通常の電話回線に接続される。携帯電話機が使用する無線チャネルには限りがあるため、混信を起こさないようにする必要がある。このため、１つの無線基地局の出力を小さくして受け持つ範囲（ゾーン）を小さくし、離れたゾーン同士で同一の無線チャネルを用い、同じ無線チャネルを繰り返し使用する多数の小ゾーンが構成されている。また、携帯電話機は、いろいろな場所へ移動するため、在圏移動通信交換局などで現在位置のゾーンや電波の受信状態が常時把握されている。そして、携帯電話機の呼出しの際には、最も良い状態で受信できる無線基地局から呼び出される。また、携帯電話機が通話中に隣のゾーンに移動しても、新しいゾーンで使用可能な無線チャネルに自動的に切り換えられため、通話がとぎれない。これらの無線基地局及び携帯電話機は、共に１０００チャネル前後の切換えが可能となっている。
【０００３】
携帯電話機は、近年では広く普及しているが、その反面、場所に関わらず着信音が鳴動する状況になっている。このため、携帯電話機の使用を制限するための妨害電波発生装置が製作されている。妨害電波発生装置は、携帯電話機で使用される無線チャネルを全て網羅する範囲で妨害電波を所定の領域内に放射する装置であり、局所的（たとえば、電車内、映画館、美術館、コンサートホール、病院、劇場、ホテル、喫茶店、塾、礼拝堂など）に同携帯電話機の受信状態を悪化させることにより、「圏外」を表示させる。
【０００４】
この種の携帯電話機は、従来では、たとえば図７に示すものがあった。
この携帯電話機１は、同図に示すように、アンテナ２と、送信部３と、受信部４と、音声処理部５と、制御部６と、操作部７と、表示部８と、送受話部９と、送話器１０と、受話器１１とから構成されている。アンテナ２は、図示しない無線基地局との間で電波Ｗを送受信する。送信部３は、アンテナ２を介して無線信号の送信処理を行い、同無線信号の変調などを行う。受信部４は、アンテナ２を介して無線信号の受信処理を行い、同無線信号の復調などを行う。
【０００５】
音声処理部５は、送受話部９から送出される音声信号を送信部３へ送出すると共に、受信部４で復調された信号から音声信号を取り出す他、受話器１１に着信音（着メロなど）を鳴動させるためのメロディデータを保持する。制御部６は、この携帯電話機１全体を制御する。操作部７は、送信キー、英字／カナ／漢字／数字の変換キー、電源のオン／オフキー、カーソル操作を行うための十文字キー、及び終了キーなどから構成されている。表示部８は、各種データを表示する。送受話部９は、各種増幅器などで構成され、送話器１０から送出される音声信号を所定のレベルに増幅すると共に、受話器１１を駆動する。送話器１０は、ユーザの音声を受けて送話を行う。受話器１１は、送受話部９により駆動され、各種情報に対応した音声を発生する。
【０００６】
この携帯電話機１では、電波Ｗがアンテナ２で受信され、無線信号が受信部４で受信される。受信部４では、無線信号が復調され、受信信号及び受信レベル情報が制御部６に送出される。制御部６により送信部３及び受信部４に対して無線チャネルが指定され、同受信部４から送出された受信信号及び受信レベル情報を用いて待受制御が行われる。また、制御部６から表示部８に表示データが送出され、各種表示が行われる。たとえば、携帯電話機１が無線基地局のサービスエリアから外れた場所に位置するとき、又は、図８に示すように、受信電波Ｗが妨害電波発生装置２０の妨害電波Ｊによる妨害を受けているとき、表示部８に「圏外」が表示される。そして、携帯電話機１は、通信不可能な状態となる。
【０００７】
上記の携帯電話機の他、従来、この種の技術としては、たとえば、次のような文献に記載されるものがあった。
特許文献１に記載されたコードレス電話装置では、基地局あるいは移動局にキャリアセンス出力に応じた表示を行う表示手段が設けられ、基地局あるいは移動局を運用する場所の電波環境が悪い（妨害波が多い）場合でも、設置時にこの電波環境の悪い旨が表示される。
【０００８】
【特許文献１】
特開平０７−０９５１４８号公報（第１頁、図１）
【０００９】
【発明が解決しようとする課題】
しかしながら、上記従来の携帯電話機では、次のような問題点があった。
すなわち、表示部８に「圏外」が表示され、携帯電話機１が通信不可能な状態となる場合、この原因は、▲１▼同携帯電話機１が無線基地局のサービスエリアから外れた場所に位置する状態、及び、▲２▼受信電波Ｗが妨害電波Ｊによる妨害を受けている状態の２つがある。妨害電波発生装置２０から妨害電波Ｊの届く範囲は、通常、数ｍ（たとえば、５ｍ）以内の領域であるため、上記▲２▼の状態であれば、ユーザが妨害電波Ｊの届かない場所に移動することにより、通信可能な状態となるが、上記２つの状態では、いずれも「圏外」として表示されるため、ユーザは、通信不可能となる原因を把握できないので、移動する行動を起こすことはなく、緊急事態であっても、携帯電話機を使用することができないという問題点がある。
【００１０】
また、特許文献１に記載されたコードレス電話装置では、妨害波を捉える方法が不明確であり、また、単に電波状況が悪い旨が表示されるにすぎない。このため、ユーザは、電波状況が悪くなる原因が把握できないという問題点がある。
【００１１】
この発明は、上述の事情に鑑みてなされたもので、妨害電波によって通信不可能な状態になっていることをユーザに通知する携帯電話機、該携帯電話機に用いられる通信状態通知方法及び通知制御プログラムを提供することを目的としている。
【００１２】
【課題を解決するための手段】
上記課題を解決するために、請求項１記載の発明は、無線基地局のサービスエリアから外れた場所に位置するとき、又は受信電波が妨害電波による妨害を受けているとき、通信不可能な状態である旨を表示部に表示する携帯電話機に係り、前記サービスエリアから外れた場所に位置する状態、及び前記受信電波が前記妨害電波による妨害を受けている状態を判別し、この判別結果をユーザに通知する判別手段が設けられていることを特徴としている。
【００１３】
請求項２記載の発明は、請求項１記載の携帯電話機に係り、前記妨害電波は、当該の携帯電話機が使用する全ての無線チャネルの受信電波に対して所定の領域内で電波障害を与える妨害電波発生装置から発生し、前記判別手段は、使用されている無線チャネルの隣接チャネルにおける受信レベルを検出し、この検出値が所定の規定値以上のとき、前記受信電波が前記妨害電波による妨害を受けている状態として判別する構成とされていることを特徴としている。
【００１４】
請求項３記載の発明は、請求項２記載の携帯電話機に係り、前記規定値は、使用されている前記無線チャネルの受信電波の前記隣接チャネルにおける漏洩電力のレベル以上に設定されていることを特徴としている。
【００１５】
請求項４記載の発明は、請求項１、２又は３記載の携帯電話機に係り、前記判別手段は、前記判別結果を前記表示部に表示する構成とされていることを特徴としている。
【００１６】
請求項５記載の発明は、請求項１、２又は３記載の携帯電話機に係り、音声発生部が設けられ、前記判別手段は、前記音声発生部により前記判別結果に対応した通知音を発生させる構成とされていることを特徴としている。
【００１７】
請求項６記載の発明は、無線基地局のサービスエリアから外れた場所に位置するとき、又は受信電波が妨害電波による妨害を受けているとき、通信不可能な状態である旨を表示部に表示する携帯電話機に用いられ、該通信不可能な状態である旨をユーザに通知する通信状態通知方法に係り、前記サービスエリアから外れた場所に位置する状態、及び前記受信電波が前記妨害電波による妨害を受けている状態を判別する状態判別処理と、該状態判別処理における判別結果をユーザに通知する判別結果通知処理を行うことを特徴としている。
【００１８】
請求項７記載の発明は、請求項６記載の通信状態通知方法に係り、前記妨害電波は、当該の携帯電話機が使用する全ての無線チャネルの受信電波に対して所定の領域内で電波障害を与える妨害電波発生装置から発生し、前記状態判別処理では、使用されている無線チャネルの隣接チャネルにおける受信レベルを検出し、この検出値が所定の規定値以上のとき、前記受信電波が前記妨害電波による妨害を受けた状態として判別することを特徴としている。
【００１９】
請求項８記載の発明は、請求項７記載の通信状態通知方法に係り、前記規定値は、使用されている前記無線チャネルの受信電波の前記隣接チャネルにおける漏洩電力のレベル以上に設定されていることを特徴としている。
【００２０】
請求項９記載の発明は、請求項６、７又は８記載の通信状態通知方法に係り、前記判別結果通知処理では、前記判別結果を前記表示部に表示することを特徴としている。
【００２１】
請求項１０記載の発明は、請求項６、７又は８記載の通信状態通知方法に係り、前記携帯電話機に音声発生部が設けられ、前記判別結果通知処理では、前記音声発生部により前記判別結果に対応した通知音を発生させることを特徴としている。
【００２２】
請求項１１記載の発明は、通知制御プログラムに係り、コンピュータに請求項１乃至５のうちの一に記載の携帯電話機を制御させることを特徴としている。
【００２３】
【発明の実施の形態】
以下、図面を参照して、この発明の実施の形態について説明する。
図１は、この発明の実施形態である携帯電話機の電気的構成を示すブロック図である。
この形態の携帯電話機２１は、同図に示すように、アンテナ２２と、送信部２３と、受信部２４と、音声処理部２５と、制御部２６と、操作部２７と、表示部２８と、送受話部２９と、送話器３０と、受話器３１とから構成されている。アンテナ２２は、図示しない無線基地局との間で電波Ｗを送受信する。送信部２３は、アンテナ２２を介して無線信号の送信処理を行い、同無線信号の変調などを行う。受信部２４は、アンテナ２２を介して無線信号の受信処理を行い、同無線信号の復調などを行って受信信号及び受信レベル情報を出力する。音声処理部２５は、送受話部２９から送出される音声信号を送信部２３へ送出すると共に、受信部２４で復調された信号から音声信号を取り出す他、受話器３１に着信音（着メロなど）を鳴動させるためのメロディデータを保持する。
【００２４】
制御部２６は、携帯電話機２１全体を制御するＣＰＵ（中央処理装置）２６ａ及び同ＣＰＵ２６ａを動作させるための通知制御プログラムが記録されたＲＯＭ（リード・オンリ・メモリ）２６ｂを有し、使用する無線チャネルの情報を予め格納している。そして、制御部２６は、送信部２３及び受信部２４に対して無線チャネルを指定し、同受信部２４から出力された受信信号及び受信レベル情報を用いて待受制御を行う。制御部２６は、携帯電話機２１が無線基地局のサービスエリアから外れた場所に位置するとき、又は受信した電波Ｗが妨害電波による妨害（たとえば、妨害電波による変調）を受けているとき、通信不可能な状態である旨を表示部２８に表示し、特に、この実施形態では、同サービスエリアから外れた場所に位置する状態、及び電波Ｗが妨害電波による妨害を受けている状態を判別し、この判別結果を表示部２８に表示することにより、ユーザに通知する。
【００２５】
この場合、妨害電波は、携帯電話機２１が使用する全ての無線チャネルの受信電波に対して所定の領域内で電波障害を与える妨害電波発生装置から発生する。この所定の領域は、妨害電波発生装置を基準として、たとえば５ｍ以内の領域である。そして、制御部２６は、使用されている無線チャネルの隣接チャネルにおける受信電波Ｗのレベルを検出し、この検出値が所定の規定値以上のとき、同受信電波Ｗが妨害電波による妨害を受けている状態として判別する。同規定値は、使用されている無線チャネルの受信電波Ｗの隣接チャネルにおける漏洩電力のレベル以上に設定されている。
【００２６】
操作部２７は、送信キー、英字／カナ／漢字／数字の変換キー、電源のオン／オフキー、カーソル操作を行うための十文字キー、及び終了キーなどから構成されている。表示部２８は、たとえばＬＣＤ（Ｌｉｑｕｉｄ  Ｃｒｙｓｔａｌ  Ｄｉｓｐｌａｙ）などで構成され、各種データを表示する。送受話部２９は、各種増幅器などで構成され、送話器３０から送出される音声信号を所定のレベルに増幅すると共に、受話器３１を駆動する。送話器３０は、ユーザの音声を受けて送話を行う。受話器３１は、送受話部２９により駆動され、各種情報に対応した音声を発生する。
【００２７】
図２及び図３は、図１の携帯電話機２１の動作を説明するフローチャート、図４は、無線チャネルのスペクトルの配置及び妨害電波のレベルを示す図、図５は、携帯電話機２１がサービスエリア外に位置するときの表示状態を示す図、及び図６が、受信電波が妨害電波による妨害を受けているときの表示状態を示す図である。
これらの図を参照して、この形態の携帯電話機２１に用いられる通信状態通知方法について説明する。
この携帯電話機２１では、電波Ｗがアンテナ２２で受信され、無線信号が受信部２４で受信される。受信部２４では、無線信号が復調され、受信信号及び受信レベル情報が制御部２６に送出される。制御部２６により送信部２３及び受信部２４に対して無線チャネルが指定され、同受信部２４から送出された受信信号及び受信レベル情報を用いて待受制御が行われる。また、制御部２６から表示部２８に表示データが送出され、各種表示が行われる。
【００２８】
すなわち、携帯電話機２１では、通信可能な状態（待受状態）になるために、使用可能な無線チャネルを探す制御が行われる。この場合、携帯電話機２１が使用する無線チャネルの情報（たとえば、１０００チャネル前後）が制御部２６に格納されているので、図２に示すように、全ての無線チャネルについて受信レベルの検出が行われる（ステップＡ１）。受信レベルの検出が終了した後、その検出結果に基づいてレベル順テーブルが作成される（ステップＡ２）。レベル順テーブルでは、無線チャネルと受信レベルとが対応付けられ、同無線チャネルが受信レベルの高いものから順に並べられ、受信レベルの検出毎に更新される。レベル順テーブルの更新により、妨害フラグがオフ状態（ＯＦＦ）となる（ステップＡ３）。レベル順テーブルに基づいて受信レベルの上位順に無線チャネルが選択される（ステップＡ４）。このとき、レベル順テーブルに格納された受信レベルのデータが確認され、同受信レベルが待受可能な最低レベル以上であれば選択可能と判定され、最低レベルに満たない場合は選択候補とせずに選択不可と判定される。そして、選択動作が繰り返し行われ、受信レベルの高い順に無線チャネルが選択されていき、選択可能な無線チャネルがなくなったとき、又は全ての無線チャネルの選択が終了したときに選択可能チャネルなしと判定される（ステップＡ５）。このステップＡ５において、選択可能な無線チャネルが存在する場合、チャネル起動処理が実行される（ステップＡ６）。
【００２９】
チャネル起動処理（ステップＡ６）では、図３に示すように、制御部２６から受信部２４に対して無線チャネルの指定が行われる（ステップＢ１）。無線チャネルの指定が完了した後、受信部２４で同無線チャネルにおけるデータ受信が行われ、受信動作状態となる（ステップＢ２）。そして、受信部２４から制御部２６にデータ受信の結果が送出され、データ受信が成功したとき（ステップＢ３、Ｙｅｓ）、そのデータが解析され（ステップＢ４）、同データが使用可能と判断された場合（ステップＢ５）、待受可能としてチャネル起動処理が終了する（ステップＢ６）。
【００３０】
前記ステップＢ３において、正常にデータが受信されなかったとき（ステップＢ３、Ｎｏ）、レベル順テーブルに基づき、図４に示すように、現在使用されている無線チャネル［Ｘ］の隣接チャネル［Ｘ−１］又は隣接チャネル［Ｘ＋１］における受信レベルが規定値αと比較される（ステップＢ７）。そして、隣接チャネル［Ｘ−１］又は隣接チャネル［Ｘ＋１］における受信レベルが規定値α以上のとき、受信電波Ｗが妨害電波Ｊによる妨害を受けている状態であるため、隣接レベルありと判定され（ステップＢ８）、待受不可かつ隣接レベルありとしてチャネル起動処理が終了する（ステップＢ９）。一方、隣接チャネル［Ｘ−１］及び隣接チャネル［Ｘ＋１］の受信レベルが規定値αよりも小さいとき、受信電波Ｗが妨害電波Ｊによる妨害を受けていない状態であるため、隣接レベルなしと判定され（ステップＢ１０）、待受不可かつ隣接レベルなしとしてチャネル起動処理が終了する（ステップＢ１１）。ここで、規定値αは、現在使用されている無線チャネル［Ｘ］の受信電波の隣接チャネル［Ｘ−１］，［Ｘ＋１］における漏洩電力のレベルＢ以上に設定されている。
【００３１】
チャネル起動処理が完了すると、図２に示すように、起動された無線チャネルで待受が可能か否かが判定される（ステップＡ７）。待受可否情報が「待受可能」のとき（ステップＡ７、Ｙｅｓ）、待受が開始される（ステップＡ８）。待受可否情報が「待受不可」（ステップＡ７、Ｎｏ）かつ「隣接レベルなし」（ステップＡ９、Ｎｏ）のとき、ステップＡ４に戻り、他の無線チャネルに対するチャネル起動処理に移行する。また、待受可否情報が「待受不可」（ステップＡ７、Ｎｏ）かつ「隣接レベルあり」（ステップＡ９、Ｙｅｓ）のとき、妨害フラグがオン状態（ＯＮ）となり（ステップＡ１０）、ステップＡ４に戻り、他の無線チャネルに対するチャネル起動処理に移行する。
【００３２】
前記ステップＡ５において、待受可能な無線チャネルがない状態で、他に選択可能な無線チャネルがない場合（ステップＡ５、Ｎｏ）、使用可能な無線チャネルが存在しないため、圏外状態と判定される。このとき、妨害波フラグがオン状態になっている場合は（ステップＡ１１、状態判別処理）、受信した電波Ｗが妨害電波Ｊによる妨害を受け、待受状態に移行できなかった状態である圏外モード２と判別され、図６に示すように、表示部２８に「圏外２」が表示され、ユーザに通知される（ステップＡ１２、判別結果通知処理）。このとき、ユーザが妨害電波Ｊの届かない場所に移動することにより、通信可能な状態となる。また、妨害フラグがオン状態でなかった場合は、携帯電話機２１がサービスエリアから外れた場所に位置する状態である圏外モード１と判別され、図６に示すように、表示部２８に「圏外１」が表示され、ユーザに通知される（ステップＡ１３、判別結果通知処理）。
【００３３】
以上のように、この実施形態では、制御部２６により、現在使用されている無線チャネル［Ｘ］の隣接チャネル［Ｘ−１］又は隣接チャネル［Ｘ＋１］における受信電波Ｗのレベルが検出され、この検出値が規定値α以上のとき、同受信電波Ｗが妨害電波Ｊによる妨害を受けている状態として判別され、このとき、表示部２８に「圏外２」が表示され、ユーザに通知されるので、ユーザが妨害電波Ｊの届かない場所に移動することにより、通信可能な状態となる。また、表示部２８に「圏外２」が表示されることにより、ユーザは、携帯電話機の使用が禁止されている場所にいることを認識できるので、不用意なトラブルを避けることができ、使い勝手が向上する。
【００３４】
以上、この発明の実施形態を図面により詳述してきたが、具体的な構成はこの実施形態に限られるものではなく、この発明の要旨を逸脱しない範囲の設計の変更などがあっても、この発明に含まれる。
たとえば、表示部２８では、受信電波Ｗが妨害電波Ｊによる妨害を受けているとき、「妨害電波あり」や、ユーザに移動を指示するメッセージ（たとえば、「妨害電波が発生していますので、移動して下さい」など）を表示するようにしても良い。また、受信電波Ｗが妨害電波Ｊによる妨害を受けているとき、受話器３１（音声発生部）で判別結果に対応した通知音を発生させることにより、ユーザに通知しても良い。この場合、合成音声などにより、メッセージ（たとえば、「妨害電波が発生していますので、移動して下さい」など）を発生させることにより、ユーザに通知しても良い。また、この発明は、ＦＤＭＡ（Ｆｒｅｑｕｅｎｃｙ  Ｄｉｖｉｓｉｏｎ  Ｍｕｌｔｉｐｌｅｘ）方式、ＴＤＭＡ（Ｔｉｍｅ  Ｄｉｖｉｓｉｏｎ  Ｍｕｌｔｉｐｌｅｘ  ）方式共に適用でき、実施形態における無線チャネルとは、ＦＤＭＡ方式における周波数チャネル、又はＴＤＭＡ方式におけるスロットである。
【００３５】
【発明の効果】
以上説明したように、この発明の構成によれば、判別手段により、無線基地局のサービスエリアから外れた場所に位置する状態、及び受信電波が妨害電波による妨害を受けている状態を判別し、この判別結果をユーザに通知するようにしたので、ユーザが妨害電波の届かない場所に移動することにより、通信可能な状態とすることができる。また、判別手段により、現在使用されている無線チャネルの隣接チャネルにおける受信レベルを検出し、この検出値が規定値以上のとき、同受信電波が妨害電波による妨害を受けている状態として判別し、この旨を表示部に表示したり、通知音を発生することにより、ユーザに通知するようにしたので、ユーザが妨害電波の届かない場所に移動することにより、通信可能な状態となる。また、これにより、ユーザは、携帯電話機の使用が禁止されている場所にいることを認識できるので、不用意なトラブルを避けることができ、使い勝手を向上することができる。
【図面の簡単な説明】
【図１】この発明の実施形態である携帯電話機の電気的構成を示すブロック図である。
【図２】図１の携帯電話機２１の動作を説明するフローチャートである。
【図３】図１の携帯電話機２１の動作を説明するフローチャートである。
【図４】無線チャネルのスペクトルの配置及び妨害電波のレベルを示す図である。
【図５】携帯電話機２１がサービスエリア外に位置するときの表示状態を示す図である。
【図６】受信電波が妨害電波による妨害を受けているときの表示状態を示す図である。
【図７】従来の携帯電話機の電気的構成を示すブロック図である。
【図８】図７の携帯電話機の受信電波が妨害電波による妨害を受けているときの表示状態を示す図である。
【符号の説明】
３      妨害電波発生装置
２１      携帯電話機
２２      アンテナ（携帯電話機の一部）
２３      送信部（携帯電話機の一部）
２４      受信部（携帯電話機の一部）
２５      音声処理部（携帯電話機の一部）
２６      制御部（判別手段、携帯電話機の一部）
２６ａ      ＣＰＵ（中央処理装置、携帯電話機の一部）
２６ｂ      ＲＯＭ（リード・オンリ・メモリ、携帯電話機の一部）
２７      操作部（携帯電話機の一部）
２８      表示部（携帯電話機の一部）
２９      送受話部（携帯電話機の一部）
３０      送話器（携帯電話機の一部）
３１      受話器（音声発生部、携帯電話機の一部）
【図１】
2005020110.tif 000003
【図２】
2005020110.tif 000004
【図３】
2005020110.tif 000005
【図４】
2005020110.tif 000006
【図５】
2005020110.tif 000007
【図６】
2005020110.tif 000008
【図７】
2005020110.tif 000009
【図８】
2005020110.tif 000010